(57)【要約】【課題】軸方向および軸直角方向の振動に対して防振効果を発揮する多方向防振型の流体封入式防振装置を、部品点数の少ない簡単な構造で実現する。【解決手段】本体ゴム弾性体１６に固着される中間スリーブ２４と第２の取付部材１４とを何れも軸方向中間部分に段差部２６，４０を有する段付筒形状とし、中間スリーブ２４と第２の取付部材１４とを段差部２６，４０を挟んだ軸方向両側筒部２８，４２および３０，４４においてそれぞれ嵌合固定すると共に、中間スリーブ２４に形成された複数の窓部３２，３２を通じて開口する複数のポケット部３８，３８を本体ゴム弾性体１６の外周部分に設けて、複数の窓部３２，３２を第２の取付部材１４で覆蓋することにより複数の外周液室８２，８２を形成する一方、中間スリーブ２４と第２の取付部材１４との段差部２６，４０を軸方向で対向位置させてそれら段差部２６，４０の間に第２のオリフィス通路８６を形成した。【選択図】図１
2012202512.tif 000002
【特許請求の範囲】
【請求項１】
第１の取付部材を筒状の第２の取付部材の軸方向一方の開口部側に配置して該第１の取付部材と該第２の取付部材とを本体ゴム弾性体で連結すると共に、該本体ゴム弾性体の軸方向一方の側に位置して該本体ゴム弾性体で壁部が構成された受圧液室と可撓性膜で壁部が構成された平衡液室とを形成して該受圧液室と該平衡液室とを第１のオリフィス通路で連通する一方、該本体ゴム弾性体の外周側に位置する複数の外周液室を形成して該複数の外周液室を第２のオリフィス通路で連通した多方向防振型の流体封入式防振装置において、
前記本体ゴム弾性体の外周面に中間スリーブを固着して、該中間スリーブと前記第２の取付部材とを何れも軸方向中間部分に段差部を有する段付筒形状とし、該中間スリーブと該第２の取付部材とを各該段差部を挟んだ軸方向両側筒部においてそれぞれ嵌合固定すると共に、
該中間スリーブに形成された複数の窓部を通じて開口する複数のポケット部を該本体ゴム弾性体の外周部分に設けて、該中間スリーブの該複数の窓部を該第２の取付部材で覆蓋することにより前記複数の外周液室を形成する一方、
該中間スリーブと該第２の取付部材との各該段差部を軸方向で対向位置させてそれら段差部の軸方向対向面間に前記第２のオリフィス通路を形成したことを特徴とする多方向防振型の流体封入式防振装置。
【請求項２】
前記本体ゴム弾性体の外周面が前記第１の取付部材から前記第２の取付部材に向かって次第に広がって軸方向に延びるテーパ形状とされており、前記複数の外周液室の壁部の一部が該本体ゴム弾性体の外周面の中間部分から延び出して前記中間スリーブに固着されるゴム弾性膜によってそれぞれ構成されていると共に、それら複数のゴム弾性膜が縦断面において外周側に行くに従って次第に軸直角方向に対する傾斜角度の大きくなる湾曲形状とされている請求項１に記載の多方向防振型の流体封入式防振装置。
【請求項３】
前記複数のゴム弾性膜が周方向で相互に独立して設けられている請求項２に記載の多方向防振型の流体封入式防振装置。
【請求項４】
前記中間スリーブには前記段差部を含んだ前記窓部の枠部に切欠部が形成されており、該切欠部を通じて前記第２のオリフィス通路が前記外周液室に連通されている請求項１〜３の何れか１項に記載の多方向防振型の流体封入式防振装置。
【請求項５】
前記第２の取付部材および前記中間スリーブが段付楕円筒形状とされており、一対の前記外周液室が軸方向視における該第２の取付部材の長軸方向両側に配置されている請求項１〜４の何れか１項に記載の多方向防振型の流体封入式防振装置。
【発明の詳細な説明】
【技術分野】
【０００１】
本発明は、自動車のエンジンマウント等に適用される防振装置において、内部に封入された非圧縮性流体の流動作用に基づいた防振効果を利用する流体封入式防振装置に係り、特に、軸方向と軸直角方向を含む多方向において防振効果が発揮されるようにした多方向防振型の流体封入式防振装置に関するものである。
【背景技術】
【０００２】
従来から、振動伝達系を構成する部材を防振支持乃至は防振連結する防振装置の一種として、内部に封入された非圧縮性流体の流動作用を利用する流体封入式防振装置が知られており、例えば、特許第４５４５３４３号公報（特許文献１）等に示されている。即ち、特許文献１に示された流体封入式防振装置は、第１の取付部材と第２の取付部材が本体ゴム弾性体によって連結された構造を有している。より詳細には、本体ゴム弾性体の外周面に中間スリーブが固着されており、その中間スリーブに対して第２の取付部材が嵌合固定されている。また、第２の取付部材によって支持された仕切部材を挟んだ両側には、壁部の一部が本体ゴム弾性体で構成された受圧液室と、壁部の一部が可撓性膜で構成された平衡液室との各一方が形成されている。更に、それら受圧液室と平衡液室にそれぞれ非圧縮性流体が封入されていると共に、受圧液室と平衡液室を連通する第１のオリフィス通路が形成されており、軸方向の振動が受圧室に入力されると、第１のオリフィス通路を通じて両室間で流体流動が生じて、流体の共振作用等に基づいた防振効果が発揮されるようになっている。
【０００３】
ところで、特許文献１の流体封入式防振装置では、軸直角方向での防振性能を高めるために、非圧縮性流体が封入された複数の外周液室と、それら外周液室を連通する第２のオリフィス通路が設けられている。即ち、中間スリーブには複数の窓部が形成されており、それら窓部を通じて本体ゴム弾性体に形成された複数のポケット部が外周面に開口されていると共に、複数の窓部が第２の取付部材によって覆蓋されることで非圧縮性流体が封入された複数の外周液室が形成されている。更に、窓部には周方向に延びるオリフィス部材が嵌め込まれており、外周液室を連通する第２のオリフィス通路が、オリフィス部材と第２の取付部材の間に形成されて周方向に延びている。そして、軸直角方向の振動入力時に複数の外周液室間で相対的な圧力差が生じることにより、それら外周液室間で第２のオリフィス通路を通じた流体流動が生じて、流体の流動作用に基づいた防振効果が発揮されるようになっている。
【０００４】
しかしながら、このような特許文献１に記載された２方向防振型の流体封入式防振装置では、軸直角方向での防振効果を得るために特別なオリフィス部材が必要とされることから、部品点数の増加や構造の複雑化が問題となるおそれがある。しかも、特許文献１の構造では、オリフィス部材がそれぞれ半環状の２つの部材を窓部に対して径方向両側から組み付けることで構成されていることから、部品点数がより多くなると共に、オリフィス部材を組み付けるための作業工程を特別に設ける必要もあった。
【０００５】
なお、特開２００３−１２０７４６号公報（特許文献２）には、中間スリーブの下端部が外周面に開口する凹形状の溝部とされており、その溝部の外周開口部が第２の取付部材で覆蓋されることによって、中間スリーブと第２の取付部材の間に第２のオリフィス通路が形成された２方向防振型の流体封入式防振装置が開示されている。しかし、このような溝部を有する特別な形状の中間スリーブを得るためには、溝部を形成するための加工工程を追加する必要が生じることから、製造の容易さに対する要求を充分に満たせないおそれがあった。
【先行技術文献】
【特許文献】
【０００６】
【特許文献１】特許第４５４５３４３号公報
【特許文献２】特開２００３−１２０７４６号公報
【発明の概要】
【発明が解決しようとする課題】
【０００７】
本発明は、上述の事情を背景に為されたものであって、その解決課題は、軸方向の振動に対する防振効果に加えて、軸直角方向の振動に対する防振効果も発揮される多方向防振型の流体封入式防振装置を、少ない部品点数と簡単な構造によって実現して、提供することにある。
【課題を解決するための手段】
【０００８】
すなわち、本発明の第１の態様は、第１の取付部材を筒状の第２の取付部材の軸方向一方の開口部側に配置して該第１の取付部材と該第２の取付部材とを本体ゴム弾性体で連結すると共に、該本体ゴム弾性体の軸方向一方の側に位置して該本体ゴム弾性体で壁部が構成された受圧液室と可撓性膜で壁部が構成された平衡液室とを形成して該受圧液室と該平衡液室とを第１のオリフィス通路で連通する一方、該本体ゴム弾性体の外周側に位置する複数の外周液室を形成して該複数の外周液室を第２のオリフィス通路で連通した多方向防振型の流体封入式防振装置において、前記本体ゴム弾性体の外周面に中間スリーブを固着して、該中間スリーブと前記第２の取付部材とを何れも軸方向中間部分に段差部を有する段付筒形状とし、該中間スリーブと該第２の取付部材とを各該段差部を挟んだ軸方向両側筒部においてそれぞれ嵌合固定すると共に、該中間スリーブに形成された複数の窓部を通じて開口する複数のポケット部を該本体ゴム弾性体の外周部分に設けて、該中間スリーブの該複数の窓部を該第２の取付部材で覆蓋することにより前記複数の外周液室を形成する一方、該中間スリーブと該第２の取付部材との各該段差部を軸方向で対向位置させてそれら段差部の軸方向対向面間に前記第２のオリフィス通路を形成したことを特徴とする。
【０００９】
このような第１の態様に従う構造とされた多方向防振型の流体封入式防振装置によれば、外周液室を連通する第２のオリフィス通路が、中間スリーブの段差部と第２の取付部材の段差部との軸方向対向面間に形成されている。これにより、軸直角方向の振動に対して防振効果を発揮する第２のオリフィス通路が、段付筒形状とされた第２の取付部材と中間スリーブの嵌合固定によって、特別なオリフィス形成用の部材を要することなく形成される。それ故、軸方向および軸直角方向の多方向で入力される振動に対してそれぞれ有効な防振効果を得ることが可能な多方向防振型の流体封入式防振装置を、部品点数の少ない簡単な構造で実現することができる。
【００１０】
また、第２の取付部材と中間スリーブが段差部を挟んだ軸方向両側筒部においてそれぞれ嵌合固定されることから、第２の取付部材と中間スリーブの間でシール性が充分に確保されて、第２のオリフィス通路を通じての流体流動が効率的に生ぜしめられることにより、流体の共振作用等に基づいた防振効果が有効に発揮される。
【００１１】
また、第２の取付部材や中間スリーブにおいては、第２のオリフィス通路を形成するための複雑な形状が必要とされず、何れも形成容易な段付筒形状とすることができる。従って、第２の取付部材および中間スリーブの形成が容易となって、構造の複雑化や加工工程数の増加を防ぐことができる。
【００１２】
本発明の第２の態様は、第１の態様に記載された多方向防振型の流体封入式防振装置において、前記本体ゴム弾性体の外周面が前記第１の取付部材から前記第２の取付部材に向かって次第に広がって軸方向に延びるテーパ形状とされており、前記複数の外周液室の壁部の一部が該本体ゴム弾性体の外周面の中間部分から延び出して前記中間スリーブに固着されるゴム弾性膜によってそれぞれ構成されていると共に、それら複数のゴム弾性膜が縦断面において外周側に行くに従って次第に軸直角方向に対する傾斜角度の大きくなる湾曲形状とされているものである。
【００１３】
第２の態様によれば、ゴム弾性膜がテーパ形状とされた本体ゴム弾性体の外周面の中間部分から延び出していることにより、軸直角方向の振動入力に対して第２のオリフィス通路を通じての外周液室間での流体流動量が確保されると同時に、ゴム弾性膜の自由長が充分に確保されることによってゴム弾性膜の耐久性も確保される。このように、防振性能と耐久性能を両立させることが可能となる。
【００１４】
さらに、ゴム弾性膜が湾曲形状とされていることによって、ゴム弾性膜の自由量がより大きくされて、耐久性の更なる向上が図られる。
【００１５】
本発明の第３の態様は、第２の態様に記載された多方向防振型の流体封入式防振装置において、前記複数のゴム弾性膜が周方向で相互に独立して設けられているものである。
【００１６】
第３の態様によれば、ゴム弾性膜が周方向で相互に独立して設けられて、複数の外周液室の周方向間に隙間が設けられていることによって、軸直角方向の振動入力時にゴム弾性膜が拘束されることなく変形を許容されて、耐久性の向上が図られる。しかも、外周液室の周方向間に中実の隔壁が設けられないことによって、特定の径方向でばね定数が著しく大きくなるのを防いで、ばね特性のチューニング自由度を大きくすることができる。
【００１７】
本発明の第４の態様は、第１〜第３の何れか１つの態様に記載された多方向防振型の流体封入式防振装置において、前記中間スリーブには前記段差部を含んだ前記窓部の枠部に切欠部が形成されており、該切欠部を通じて前記第２のオリフィス通路が前記外周液室に連通されているものである。
【００１８】
第４の態様によれば、段差部を含んだ窓部の枠部に形成された切欠部を通じて第２のオリフィス通路が外周液室に連通されていることから、第２の取付部材と中間スリーブの嵌合固定面積が大きく確保される。それ故、第２の取付部材と中間スリーブが強固に固定されると共に、それら第２の取付部材と中間スリーブの嵌合部分でのシールが確保されて、外周液室および第２のオリフィス通路の流体密性が高められる。
【００１９】
本発明の第５の態様は、第１〜第４の何れか１つの態様に記載された多方向防振型の流体封入式防振装置において、前記第２の取付部材および前記中間スリーブが段付楕円筒形状とされており、一対の前記外周液室が軸方向視における該第２の取付部材の長軸方向両側に配置されているものである。
【００２０】
第５の態様によれば、一対の外周液室の容積が効率的に確保されると共に、第２の取付部材の長軸方向で第１の取付部材と第２の取付部材の相対変位量が充分に確保される。従って、一対の外周液室の流体の排出効率が高められて、流体の流動作用に基づく防振効果が有利に発揮される。しかも、外周液室の対向方向と直交する方向になる短軸方向では、外径寸法の大型化が回避されることから、第２の取付部材が円筒形状とされている場合に比して、配設スペースの省スペース化も実現される。
【発明の効果】
【００２１】
本発明によれば、何れも段差部を有する段付円筒形状とされた第２の取付部材と中間スリーブが嵌合固定されることによって、段差部の対向面間に外周液室を連通する第２のオリフィス通路が形成される。それ故、第２のオリフィス通路を形成するための特別なオリフィス部材等が不要とされて、多方向の振動入力に対して有効な防振効果を発揮する流体封入式防振装置が、部品点数の少ない簡単な構造によって実現される。
【図面の簡単な説明】
【００２２】
【図１】本発明の１実施形態としてのエンジンマウントを示す縦断面図であって、図３中のＩ−Ｉ断面に相当する図である。
【図２】図１に示されたエンジンマウントを示す縦断面図であって、図３中のＩＩ−ＩＩ断面に相当する図である。
【図３】図１に示されたエンジンマウントを示す平面図である。
【発明を実施するための形態】
【００２３】
以下、本発明の実施形態について、図面を参照しつつ説明する。
【００２４】
図１〜図３には、本発明に従う構造とされた多方向防振型の流体封入式防振装置の１実施形態として、自動車用のエンジンマウント１０が示されている。エンジンマウント１０は、第１の取付部材１２と第２の取付部材１４が本体ゴム弾性体１６によって連結された構造を有している。なお、以下の説明では、特に説明がない限り、上下方向とは軸方向である図１中の上下方向を、前後方向とは車両装着状態で車両前後方向となる図１中の左右方向を、左右方向とは車両装着状態で車両左右方向となる図２中の左右方向を、それぞれ言う。
【００２５】
より詳細には、第１の取付部材１２は、逆向きの略楕円錐台形状を呈する固着部１８と、固着部１８から上方に突出する柱形状の螺着部２０とを、一体的に備えている。また、第１の取付部材１２には、螺着部２０の上面に開口するボルト孔２２が形成されており、その内周面にねじ山が刻設されている。なお、螺着部２０は、基端部分が略円柱形状とされていると共に、上部には二面幅が設けられて、左右方向が前後方向に比して狭幅とされている。また、固着部１８の中心軸と螺着部２０の中心軸は、固着部１８の長軸方向で相互にずれており、固着部１８の中心軸が第２の取付部材１４および本体ゴム弾性体１６の中心軸と一致するマウント中心軸とされている。
【００２６】
また、第１の取付部材１２の外周側には、中間スリーブ２４が配設されている。中間スリーブ２４は、平面視で略楕円環形状を呈する筒状体であって、軸方向中間部分に段差部２６が形成されることによって薄肉大径の略段付楕円筒形状とされており、段差部２６を挟んで上側が内周大径筒部２８とされていると共に、段差部２６を挟んで下側が内周小径筒部３０とされている。なお、内周大径筒部２８と内周小径筒部３０が、中間スリーブ２４における段差部２６を挟んだ軸方向両側筒部とされている。
【００２７】
さらに、中間スリーブ２４には、一対の窓部３２，３２が形成されている。窓部３２は、中間スリーブ２４の内周大径筒部２８を径方向に貫通するように形成されており、半周に満たない長さで周方向に延びている。また、一対の窓部３２，３２は、径方向一方向で対向する部分に設けられている。
【００２８】
そして、第１の取付部材１２の固着部１８が、中間スリーブ２４の内周大径筒部２８の上側開口部から挿し入れられて径方向で離隔配置されていると共に、それら第１の取付部材１２と中間スリーブ２４が本体ゴム弾性体１６によって連結されている。本体ゴム弾性体１６は、厚肉大径の略楕円錐台形状を有しており、その外周面が第１の取付部材１２から第２の取付部材１４に向かって次第に広がって軸方向に延びるテーパ形状とされている。この本体ゴム弾性体１６の小径側端部に第１の取付部材１２の固着部１８が加硫接着されると共に、大径側端部の外周面に中間スリーブ２４の内周面が重ね合わされて加硫接着されることにより、第１の取付部材１２と中間スリーブ２４が本体ゴム弾性体１６によって弾性連結されている。なお、本実施形態において、本体ゴム弾性体１６は、第１の取付部材１２と中間スリーブ２４を備えた一体加硫成形品として形成されている。
【００２９】
さらに、本体ゴム弾性体１６には、中央凹所３４が形成されている。中央凹所３４は、下方に向かって次第に拡径する逆向き略すり鉢形状の凹所であって、本体ゴム弾性体１６の大径側端面に開口している。
【００３０】
更にまた、本体ゴム弾性体１６には、ゴム弾性膜３６が一体形成されている。ゴム弾性膜３６は、本体ゴム弾性体１６の外周面の中間部分から外周側に向かって延び出す薄肉膜状のゴム弾性体であって、図１に示された縦断面において、外周側に行くに従って水平面に対する傾斜角度が次第に大きくなる湾曲形状とされており、充分な弛みを有している。また、本体ゴム弾性体１６の外周面から径方向一方向の両側に向かって一対のゴム弾性膜３６，３６が延び出しており、それら一対のゴム弾性膜３６，３６が周方向で離隔して設けられて互いに独立している。
【００３１】
そして、一対のゴム弾性膜３６，３６は、その外周端部が中間スリーブ２４における各窓部３２の上側枠部に加硫接着されている。これにより、本体ゴム弾性体１６の外周部分には、壁部の一部がゴム弾性膜３６で構成されて、窓部３２を通じて外周側に開口するポケット部３８が形成されている。なお、周上で一対の窓部３２，３２の形成位置と対応する位置に、一対のゴム弾性膜３６，３６が設けられており、径方向一方向で対向する一対のポケット部３８，３８が本体ゴム弾性体１６に形成されている。
【００３２】
また、中間スリーブ２４には、第２の取付部材１４が取り付けられている。第２の取付部材１４は、平面視で略楕円環状を呈する筒状体であって、第１の取付部材１２と同様に高剛性の部材とされている。また、第２の取付部材１４には、軸方向中間部分に段差部４０が設けられており、段差部４０よりも上側が外周大径筒部４２とされていると共に、段差部４０よりも下側が外周小径筒部４４とされて、全体として略段付楕円筒形状とされている。なお、外周大径筒部４２と外周小径筒部４４が、第２の取付部材１４における段差部４０を挟んだ軸方向両側筒部とされている。
【００３３】
さらに、第２の取付部材１４には、可撓性膜４６が固着されている。可撓性膜４６は、薄肉のゴム膜であって、略ドーム状とされて上下方向に充分な弛みを有している。そして、可撓性膜４６は、その外周縁部が第２の取付部材１４の外周小径筒部４４の下端部に加硫接着されて、第２の取付部材１４の下側開口部を覆うように配設されている。なお、本実施形態のゴム弾性膜３６は、可撓性膜４６に比して厚肉とされている。
【００３４】
更にまた、第２の取付部材１４の内周面には、シールゴム層４８が被着形成されている。シールゴム層４８は、可撓性膜４６と一体形成された薄肉のゴム弾性体であって、第２の取付部材１４の内周面に対して略全体を覆うように加硫接着されている。
【００３５】
そして、可撓性膜４６を固着された第２の取付部材１４は、本体ゴム弾性体１６の一体加硫成形品における中間スリーブ２４に嵌着されている。即ち、第２の取付部材１４が中間スリーブ２４に対して下方から外挿された後、第２の取付部材１４に八方絞り等の縮径加工が施されることにより、第２の取付部材１４が中間スリーブ２４に対してシールゴム層４８を介して嵌合固定される。なお、第２の取付部材１４と中間スリーブ２４の重ね合わせ面間にシールゴム層４８が挟み込まれていることによって、第２の取付部材１４が中間スリーブ２４に対して流体密に取り付けられている。
【００３６】
このように第２の取付部材１４が中間スリーブ２４に流体密に取り付けられることによって、本体ゴム弾性体１６と可撓性膜４６の軸方向対向面間には、外部から密閉された流体封入領域５０が形成されて、非圧縮性流体が封入されている。なお、流体封入領域５０に封入される非圧縮性流体は、特に限定されるものではないが、例えば、水やアルキレングリコール、ポリアルキレングリコール、シリコーン油、或いはそれらの混合液等が好適に採用される。また、後述する流体の流動作用に基づいた防振効果を効率的に発揮させるためには、０．１Ｐａ・ｓ以下の低粘性流体が望ましい。
【００３７】
また、流体封入領域５０には、仕切部材５２が配設されている。仕切部材５２は、全体として厚肉の略楕円板形状を有しており、仕切部材本体５４と蓋部材５６を組み合わせた構造を有している。仕切部材本体５４は、厚肉の略楕円板形状とされており、径方向中央部分には上面に開口する収容凹所５８と下面に開口する円形凹所６０が形成されていると共に、円形凹所６０の上底面を貫通する下側透孔６２が形成されている。更に、仕切部材本体５４の外周部分には、上面に開口して周方向に一周弱の所定長さで延びる周溝６４が形成されている。一方、蓋部材５６は、薄肉の略楕円板形状とされており、径方向の中央部分には収容凹所５８よりも小径の上側透孔６６が形成されている。
【００３８】
そして、仕切部材本体５４の上面に蓋部材５６が重ね合わされて、ピン留めやねじ留め、かしめ固定等の手段によって相互に固定されている。また、仕切部材本体５４と蓋部材５６の間には、可動部材６８が配設されている。可動部材６８は、略円板形状とされた弾性ゴム板７０の内部に、金属乃至は合成樹脂で形成された薄肉板状の補強部材７２が埋設された構造を有している。更に、可動部材６８の補強部材７２には、複数の貫通孔７４が形成されており、その貫通孔７４が弾性ゴム板７０の一部によって閉塞されている。この可動部材６８は、収容凹所５８に挿入されており、蓋部材５６が仕切部材本体５４に固定されることによって、それら仕切部材本体５４と蓋部材５６の間で上下に微小変位を許容されていると共に、仕切部材本体５４又は蓋部材５６への当接によって変位量が制限されている。
【００３９】
かくの如き構造とされた仕切部材５２は、流体封入領域５０に配設されて、第２の取付部材１４によって支持されている。より詳細には、仕切部材５２は、外周面が第２の取付部材１４の内周面に当接されて径方向で位置決めされると共に、外周部分が中間スリーブ２４の下端と第２の取付部材１４の下端に設けられた内フランジ部との間に挟み込まれて軸方向で位置決めされる。以上によって、仕切部材５２が流体封入領域５０内で軸直角方向に広がるように配設されて、第２の取付部材１４によって支持されている。
【００４０】
このように仕切部材５２が配設されることにより、流体封入領域５０は、仕切部材５２を挟んで上下に二分されている。即ち、仕切部材５２よりも軸方向上側が、壁部の一部が本体ゴム弾性体１６で構成されて、振動入力時に内圧変動が及ぼされる受圧液室７６とされている。一方、仕切部材５２よりも軸方向下側が、壁部の一部が可撓性膜４６で構成されて、可撓性膜４６の弾性変形に基づいて容積変化が許容される平衡液室７８とされている。なお、受圧液室７６および平衡液室７８には、それぞれ流体封入領域５０に封入された非圧縮性流体が封入されている。
【００４１】
さらに、仕切部材本体５４に形成された周溝６４の開口部が蓋部材５６で覆われてトンネル状の流路が形成されていると共に、該流路の一方の端部が蓋部材５６を貫通する図示しない上連通孔を通じて受圧液室７６に連通されていると共に、他方の端部が周溝６４の底壁部を貫通する図示しない下連通孔を通じて平衡液室７８に連通されている。これによって、受圧液室７６と平衡液室７８を相互に連通する第１のオリフィス通路８０が、周溝６４を利用して形成されている。なお、特に限定されるものではないが、本実施形態では第１のオリフィス通路８０がエンジンシェイクに相当する１０Ｈｚ程度の低周波数にチューニングされている。
【００４２】
一方、第２の取付部材１４が中間スリーブ２４に取り付けられることによって、中間スリーブ２４に形成された一対の窓部３２，３２が第２の取付部材１４の外周大径筒部４２によって覆われており、本体ゴム弾性体１６に形成された一対のポケット部３８，３８の外周開口部が流体密に覆蓋されている。これにより、本体ゴム弾性体１６の外周側には、壁部の一部がゴム弾性膜３６で構成された一対の外周液室８２，８２が、一対のポケット部３８，３８を利用して形成されている。それら一対の外周液室８２，８２は、第２の取付部材１４の平面視における長軸方向で対向する両側に配置されており、周方向で互いに独立して形成されている。なお、一対の外周液室８２，８２には、受圧液室７６および平衡液室７８と同様の非圧縮性流体が封入されている。また、各外周液室８２は、周方向で半周に満たない長さで形成されており、好適には中心軸周りの角度が３０度以上且つ１２０度未満となる周方向長さで形成されている。
【００４３】
また、中間スリーブ２４の段差部２６と第２の取付部材１４の段差部４０が上下に離隔して対向配置されており、それら段差部２６，４０の対向面間には半周程度の長さで周方向に延びるトンネル状の流路が形成されている。また、その流路の周方向両端が段差部２６を含む窓部３２の下側枠部に形成された切欠部８４を通じて、一対の外周液室８２，８２の各一方に連通されている。この切欠部８４は、窓部３２の周上の略中央部分において窓部３２の下側枠部を切り欠いて設けられており、窓部３２の下側枠部よりも下方に位置する段差部２６まで至って、段差部２６の周上の一部を上下に貫通している。これにより、一対の外周液室８２，８２を相互に連通する第２のオリフィス通路８６が、段差部２６，４０の対向面間に形成されている。なお、第２のオリフィス通路８６は、エンジンスタート時に生じるクランク時振動やそれに起因する振動等に相当する１０Ｈｚ程度の低周波数にチューニングされている。また、第２のオリフィス通路８６は、本体ゴム弾性体１６の一体加硫成形品と、可撓性膜４６の一体加硫成形品と、仕切部材５２とを組み合わせることによって、特別な部品を用いることなく形成される。
【００４４】
かくの如き構造とされたエンジンマウント１０は、例えば、第１の取付部材１２が図示しないインナブラケットを介して同じく図示しないパワーユニットに取り付けられると共に、第２の取付部材１４が図示しないアウタブラケットを介して同じく図示しない車両ボデーに取り付けられることによって、自動車に装着されて、パワーユニットを車両ボデーに対して防振連結するようになっている。
【００４５】
そして、車両への装着状態において振動が入力されると、流体の流動作用等に基づいた防振効果が発揮されるようになっている。特に本実施形態では、軸方向の振動だけでなく、一対の外周液室８２，８２が対向する径方向一方向の振動に対しても、有効な防振効果が得られるようになっている。
【００４６】
すなわち、軸方向でエンジンシェイクに相当する低周波大振幅振動が入力されると、受圧液室７６と平衡液室７８の間に相対的な圧力差が生じて、それら両液室７６，７８間で第１のオリフィス通路８０を通じての流体流動が積極的に生ぜしめられる。これにより、流体の共振作用等の流動作用に基づいて目的とする防振効果（高減衰効果）が発揮される。なお、低周波大振幅振動の入力時には、可動部材６８が仕切部材５２における収容スペースの上下何れかの壁面に押し当てられて拘束されており、透孔６６，６２を通じての流体流動が防止されることによって、第１のオリフィス通路８０を通じての流体流動量が確保されている。尤も、衝撃的な大荷重が入力されて、受圧液室７６にキャビテーションが問題となる程の著しい負圧が及ぼされると、可動部材６８の弾性ゴム板７０において補強部材７２の貫通孔７４を覆う部分が弾性変形することで、受圧液室７６の負圧が緩和されて、キャビテーションによる異音の発生が抑えられるようになっている。
【００４７】
さらに、軸方向でアイドリング振動や走行こもり音に相当する中乃至高周波小振幅振動が入力されると、受圧液室７６と平衡液室７８の相対的な圧力変動によって可動部材６８が軸方向上下に微小変位されて、受圧液室７６の液圧が平衡液室７８に伝達される。そして、可撓性膜４６の変形による液圧吸収作用によって受圧液室７６から平衡液室７８に伝達された液圧が吸収されることにより、目的とする防振効果（低動ばね効果）が発揮される。なお、第１のオリフィス通路８０は、チューニング周波数よりも高周波数の振動入力時に、反共振によって実質的に遮断されており、可動部材６８を含んで構成された液圧吸収機構による防振効果が効率的に発揮される。
【００４８】
一方、軸直角方向でエンジンスタート時のクランク時振動等に相当する低周波大振幅振動が入力されると、本体ゴム弾性体１６およびゴム弾性膜３６の弾性変形によって一対の外周液室８２，８２間に相対的な圧力変動が生じる。これにより、一対の外周液室８２，８２の間で第２のオリフィス通路８６を通じての流体流動が惹起されて、流体の流動作用に基づいて目的とする防振効果（高減衰効果）が発揮される。以上により、エンジンマウント１０は、２方向の振動入力に対して有効な防振効果を発揮する２方向防振型のエンジンマウントとされている。
【００４９】
このような本実施形態に従う構造とされたエンジンマウント１０によれば、一対の外周液室８２，８２を相互に連通する第２のオリフィス通路８６が、第２の取付部材１４の段差部４０と中間スリーブ２４の段差部２６との対向面間に形成されている。それ故、第２のオリフィス通路８６を形成するために特別なオリフィス部材を採用する必要がなく、２方向の振動入力に対する防振効果を得ることができる２方向防振型のエンジンマウント１０を、少ない部品点数で実現することができる。
【００５０】
しかも、第２の取付部材１４の外周大径筒部４２および外周小径筒部４４と、中間スリーブ２４の内周大径筒部２８および内周小径筒部３０がそれぞれ嵌合固定されることによって、第２のオリフィス通路８６が形成されることから、製造が容易になる。更に、第２の取付部材１４と中間スリーブ２４が何れも段付筒形状であることから、それら第２の取付部材１４と中間スリーブ２４の製造も容易である。
【００５１】
また、一対の外周液室８２，８２が径方向一方向で対向する位置に設けられており、それら一対の外周液室８２，８２の対向方向が楕円筒形状とされた第２の取付部材１４の長軸方向と一致している。これにより、外周液室８２，８２の容積を大きく確保し、第１の取付部材１２と第２の取付部材１４の軸直角方向での相対変位量を確保しながら、外周液室８２，８２の対向方向と直交する他の径方向では外径寸法が小さくされている。それ故、振動入力に対する防振効果を充分に得ながら、必要とされるエンジンマウント１０の配設スペースを抑えることができる。
【００５２】
また、一対の外周液室８２，８２の壁部の一部を構成するゴム弾性膜３６が、本体ゴム弾性体１６の中間部分から延び出して形成されている。これにより、ゴム弾性膜３６の自由長が大きく確保されて耐久性の向上が図られると共に、振動入力時にゴム弾性膜３６の変形が充分に生じて第２のオリフィス通路８６を通じての流体流動が有効に惹起される。要するに、優れた耐久性と目的とする防振性能を両立して実現することができる。
【００５３】
しかも、ゴム弾性膜３６が縦断面において湾曲形状を呈しており、充分な弛みを有していることから、径方向振動の入力時にゴム弾性膜３６に作用する引張力が低減されて、耐久性の更なる向上が図られる。
【００５４】
また、一対のゴム弾性膜３６，３６が周方向で相互に独立して形成されており、一対のゴム弾性膜３６，３６の周方向間に空隙が設けられている。これにより、径方向振動の入力時に一対のゴム弾性膜３６，３６が独立して弾性変形されて、一対の外周液室８２，８２の間で相対的な圧力差が効率的に生ぜしめられる。それ故、それら一対の外周液室８２，８２間で第２のオリフィス通路８６を通じて流動する流体の量が充分に確保されて、流体の流動作用に基づいた防振効果を有利に得ることができる。
【００５５】
しかも、一対のゴム弾性膜３６，３６の周方向間に空隙が設けられていることによって、一対の外周液室８２，８２の対向方向と直交する径方向において本体ゴム弾性体１６の外周側が空間とされており、かかる径方向でのばねが小さくされている。これにより、互いに直交する径方向２方向でのばねの比のチューニング自由度が大きくされて、要求される防振特性を高度に実現することが可能となる。
【００５６】
また、第２のオリフィス通路８６は、中間スリーブ２４における段差部２６を含んだ窓部３２の下側枠部に形成された切欠部８４を通じて外周液室８２に連通されている。これにより、一対の外周液室８２，８２の第２のオリフィス通路８６による連通が、第２の取付部材１４と中間スリーブ２４の嵌合部分の面積を充分に確保しながら実現される。そして、第２の取付部材１４と中間スリーブ２４の嵌合部分の面積が確保されることによって、シール性能の向上が図られる。
【００５７】
また、可撓性膜４６が第２の取付部材１４に対して直接加硫接着されていることから、可撓性膜４６の外周縁部に固着された金具を第２の取付部材１４に固定する場合に比して、部品点数がより少なくされて、組立作業も簡略化される。
【００５８】
以上、本発明の実施形態について詳述してきたが、本発明はその具体的な記載によって限定されない。例えば、外周液室は、必ずしも径方向一方向で対向配置された２つである必要はなく、３つ以上の複数が設けられていても良い。なお、３つの外周液室が設けられる場合には、例えば、１つの外周液室を他の２つの外周液室と連通する２つの流路が第２のオリフィス通路として形成される。また、３つ以上の複数の外周液室が設けられる場合には、それら外周液室を相互に連通する流路を共有して第２のオリフィス通路が設けられて、振動の入力方向等に応じて流体流動が生じるようになっていても良い。
【００５９】
また、ゴム弾性膜３６は、耐久性と防振性能の両立を図るために、本体ゴム弾性体１６の外周面の中間から延び出していることが望ましいが、例えば、本体ゴム弾性体１６の外周面の上端から延び出していても良い。要するに、ゴム弾性膜３６の本体ゴム弾性体１６からの延出位置は、要求される耐久性能と防振性能のバランス等に応じて調節される。なお、ゴム弾性膜の縦断面形状も、要求特性に応じて設定されるものであって、例えば、略軸直角方向に広がる直線的な形状も採用され得る。
【００６０】
また、第２の取付部材１４および中間スリーブ２４等は、何れも楕円筒形状（オーバル筒形状）に限定されず、筒状であれば良く、平面視の形状として円形や角丸長方形等も採用され得る。具体的には、例えば、第２の取付部材および中間スリーブ２４が円筒形状とされることによって、組立作業時に周方向で位置合わせすることなく簡単に組み立てることができる。なお、第１の取付部材１２の固着部１８や本体ゴム弾性体１６も平面視で楕円形に限定されるものではなく、第２の取付部材１４および中間スリーブ２４に対応する円形や角丸長方形等も採用され得る。
【００６１】
また、一対の外周液室８２，８２の壁部を構成する一対のゴム弾性膜３６，３６は、周方向で互いに独立して形成されていることが望ましいが、例えば、複数の外周液室８２が本体ゴム弾性体１６と一体形成された隔壁状のゴム弾性膜によって仕切られていても良く、各外周液室８２の壁部を構成するゴム弾性膜が必ずしも全て独立している必要はない。
【００６２】
本発明に係る多方向防振型の流体封入式防振装置は、エンジンマウントにのみ適用されるものではなく、サブフレームマウントやボデーマウント、デフマウント等にも適用可能である。また、本発明の適用範囲は自動車用の流体封入式防振装置に限定されるものではなく、自動二輪車や鉄道用車両、産業用車両に用いられる流体封入式防振装置にも適用され得る。
【符号の説明】
【００６３】
１０：エンジンマウント（多方向防振型の流体封入式防振装置）、１２：第１の取付部材、１４：第２の取付部材、１６：本体ゴム弾性体、２４：中間スリーブ、２６：段差部、２８：内周大径筒部（中間スリーブの軸方向両側筒部）、３０：内周小径筒部（中間スリーブの軸方向両側筒部）、３６：ゴム弾性膜、４０：段差部、４２：外周大径筒部（第２の取付部材の軸方向両側筒部）、４４：外周小径筒部（第２の取付部材の軸方向両側筒部）、４６：可撓性膜、７６：受圧液室、７８：平衡液室、８０：第１のオリフィス通路、８２：外周液室、８４：切欠部、８６：第２のオリフィス通路
【図１】
2012202512.tif 000003
【図２】
2012202512.tif 000004
【図３】
2012202512.tif 000005